(57)【要約】【課題】本発明は多方向照明デスクライトを開示した。【解決手段】スタンドを含み、前記スタンドの中にはデスクライトを多方向で照明できるようにする回転機構が設けられ、前記回転機構は前記スタンドの中に設けられた第一歯車チャンバを含み、前記第一歯車チャンバの右側内壁と前記スタンドの右側端面との間には第一歯車軸が回転できるように取り付けられ、前記第一歯車軸の右側端面には調節器が固定的に取り付けられ、前記第一歯車軸の左側端面には第一歯車が固定的に取り付けられ、前記第一歯車チャンバの頂壁と前記スタンドの上部端面との間には第二歯車軸が回転できるように取り付けられている。【選択図】図１
2020184500.tif 000002
【特許請求の範囲】
【請求項１】
正面視で、スタンドを含み、前記スタンドの中にはデスクライトを多方向で照明できるようにする回転機構が設けられ、前記回転機構は前記スタンドの中に設けられた第一歯車チャンバを含み、前記第一歯車チャンバの右側内壁と前記スタンドの右側端面との間には第一歯車軸が回転できるように取り付けられ、前記第一歯車軸の右側端面には調節器が固定的に取り付けられ、前記第一歯車軸の左側端面には第一歯車が固定的に取り付けられ、前記第一歯車チャンバの頂壁と前記スタンドの上部端面との間には第二歯車軸が回転できるように取り付けられ、前記第二歯車軸の底部端面には第二歯車が固定的に取り付けられ、前記調節器を回転させることでデスクライトを回転連動させることができ、これにより多方向照明を実現し、前記スタンドの上部端面にはライトの縦方向の照射角度を調節できる調節機構が設けられ、前記調節機構は前記スタンドの頂部端面に回転できるように取り付けられた第一歯車箱を含み、前記第一歯車箱と前記第二歯車軸とが固定的に取り付けられ、前記第一歯車箱の頂部端面には第二歯車箱が固定的に取り付けられ、前記第一歯車箱の中には第二歯車チャンバが設けられ、前記第二歯車箱の中には第三歯車チャンバが設けられ、前記第三歯車チャンバの底壁と前記第二歯車チャンバの頂壁との間には第三歯車軸が回転できるように取り付けられ、前記第三歯車軸の底部端面には第三歯車が固定的に取り付けられ、前記第二歯車チャンバの後側内壁と前記第一歯車箱の後側端面との間にはスライド溝が連通するように設けられ、前記スライド溝の中には制御器がスライドできるように取り付けられ、前記第二歯車チャンバの左右両側にはベルトチャンバが対称的に設けられ、前記ベルトチャンバと前記第二歯車チャンバとの間には第一プーリー軸が回転できるように取り付けられ、前記第一プーリー軸にはスプラインスリーブがスプラインによって取り付けられ、前記スプラインスリーブと前記制御器とが固定的に連結され、前記スプラインスリーブの片側端面には第四歯車が固定的に取り付けられ、前記制御器が左へスライドすることによって右側の前記第四歯車と前記第三歯車とを噛合させ、前記制御器が右へスライドすることによって左側の前記第四歯車と前記第三歯車とを噛合させ、前記第三歯車軸の上部端面には第五歯車が固定的に取り付けられ、前記第三歯車チャンバの右側内壁と前記第二歯車箱の右側端面との間には第四歯車軸が回転できるように取り付けられ、前記第四歯車軸の左側端面には第六歯車が固定的に取り付けられ、前記第四歯車軸の右側端面にはリールが固定的に取り付けられ、前記第二歯車箱の上部端面には支持スタンドが固定的に取り付けられ、前記支持スタンドの右側端面にはライトスタンドがヒンジによって取り付けられ、前記リールには巻き糸が固定的に巻き付いており、前記巻き糸が前記支持スタンドを回って前記ライトスタンドと固定的に連結され、前記ライトスタンドの下方には電球が固定的に取り付けられ、前記ライトスタンドの中にはカラーフィルター溝が設けられ、前記カラーフィルター溝の底壁と前記ライトスタンドの底部端面とには回転輪が回転できるように取り付けられ、前記回転輪にはライトの光度を調節できるカラーフィルターが固定的に設けられていることを特徴とする多方向照明デスクライト。
【請求項２】
前記回転機構は前記スタンドの左側端面に設けられたバネチャンバも含み、前記バネチャンバの中には引き出しがスライドできるように取り付けられ、前記引き出しの右側端面と前記バネチャンバの右側内壁との間には第一バネが固定的に取り付けられ、前記引き出しの底部には第一引っ掛かりブロックが固定的に取り付けられ、前記バネチャンバの底壁には凹溝が設けられ、前記凹溝の底壁にはスイッチがヒンジによって取り付けられ、前記スイッチの底部端面と前記凹溝の底壁との間には第二バネが固定的に取り付けられ、前記スイッチの右側末端には第二引っ掛かりブロックが固定的に取り付けられていることを特徴とする請求項１に記載の多方向照明デスクライト。
【請求項３】
前記調節機構は前記第二歯車チャンバの下方に設けられたオルゴールも含み、前記第一プーリー軸の片側端面には第一プーリーが固定的に取り付けられ、左側の前記ベルトチャンバの左側内壁にはモーターが固定的に取り付けられ、前記モーターの出力端にはモーター軸が固定的に取り付けられ、前記モーター軸が右へ伸びて右側の前記ベルトチャンバの左側内壁を貫通しており、前記モーター軸には第二プーリーが固定的に取り付けられ、前記第二プーリーと前記第一プーリーとの間にはベルトが伝動できるように取り付けられていることを特徴とする請求項１に記載の多方向照明デスクライト。
【発明の詳細な説明】
【技術分野】
【０００１】
本発明は照明分野を取り上げて、具体的には多方向照明デスクライトである。
【背景技術】
【０００２】
今市販しているデスクライトは一般的に機能が単一で、構造も簡単であり、照明にしか使わなく、使用空間を浪費し、最大限にデスクライトの機能を発揮してなく、照射角度を調節することも不便であり、手で固定しなければならなく、またライトの輝度も調節できない。
【先行技術文献】
【特許文献】
【０００３】
【特許文献１】中国特許出願公開第１０８７５８３９８号明細書
【発明の概要】
【発明が解決しようとする課題】
【０００４】
本発明の目的は多方向照明デスクライトを提供し、それは上記の現在の技術中の問題を解決できる。
【課題を解決するための手段】
【０００５】
本発明の多方向照明デスクライトは、スタンドを含み、前記スタンドの中にはデスクライトを多方向で照明できるようにする回転機構が設けられ、前記回転機構は前記スタンドの中に設けられた第一歯車チャンバを含み、前記第一歯車チャンバの右側内壁と前記スタンドの右側端面との間には第一歯車軸が回転できるように取り付けられ、前記第一歯車軸の右側端面には調節器が固定的に取り付けられ、前記第一歯車軸の左側端面には第一歯車が固定的に取り付けられ、前記第一歯車チャンバの頂壁と前記スタンドの上部端面との間には第二歯車軸が回転できるように取り付けられ、前記第二歯車軸の底部端面には第二歯車が固定的に取り付けられ、前記調節器を回転させることでデスクライトを回転連動させることができ、これにより多方向照明を実現し、前記スタンドの上部端面にはライトの縦方向の照射角度を調節できる調節機構が設けられ、前記調節機構は前記スタンドの頂部端面に回転できるように取り付けられた第一歯車箱を含み、前記第一歯車箱と前記第二歯車軸とが固定的に取り付けられ、前記第一歯車箱の頂部端面には第二歯車箱が固定的に取り付けられ、前記第一歯車箱の中には第二歯車チャンバが設けられ、前記第二歯車箱の中には第三歯車チャンバが設けられ、前記第三歯車チャンバの底壁と前記第二歯車チャンバの頂壁との間には第三歯車軸が回転できるように取り付けられ、前記第三歯車軸の底部端面には第三歯車が固定的に取り付けられ、前記第二歯車チャンバの後側内壁と前記第一歯車箱の後側端面との間にはスライド溝が連通するように設けられ、前記スライド溝の中には制御器がスライドできるように取り付けられ、前記第二歯車チャンバの左右両側にはベルトチャンバが対称的に設けられ、前記ベルトチャンバと前記第二歯車チャンバとの間には第一プーリー軸が回転できるように取り付けられ、前記第一プーリー軸にはスプラインスリーブがスプラインによって取り付けられ、前記スプラインスリーブと前記制御器とが固定的に連結され、前記スプラインスリーブの片側端面には第四歯車が固定的に取り付けられ、前記制御器が左へスライドすることによって右側の前記第四歯車と前記第三歯車とを噛合させ、前記制御器が右へスライドすることによって左側の前記第四歯車と前記第三歯車とを噛合させ、前記第三歯車軸の上部端面には第五歯車が固定的に取り付けられ、前記第三歯車チャンバの右側内壁と前記第二歯車箱の右側端面との間には第四歯車軸が回転できるように取り付けられ、前記第四歯車軸の左側端面には第六歯車が固定的に取り付けられ、前記第四歯車軸の右側端面にはリールが固定的に取り付けられ、前記第二歯車箱の上部端面には支持スタンドが固定的に取り付けられ、前記支持スタンドの右側端面にはライトスタンドがヒンジによって取り付けられ、前記リールには巻き糸が固定的に巻き付いており、前記巻き糸が前記支持スタンドを回って前記ライトスタンドと固定的に連結され、前記ライトスタンドの下方には電球が固定的に取り付けられ、前記ライトスタンドの中にはカラーフィルター溝が設けられ、前記カラーフィルター溝の底壁と前記ライトスタンドの底部端面とには回転輪が回転できるように取り付けられ、前記回転輪にはライトの光度を調節できるカラーフィルターが固定的に設けられている。
【０００６】
更の技術プラン、前記回転機構は前記スタンドの左側端面に設けられたバネチャンバも含み、前記バネチャンバの中には引き出しがスライドできるように取り付けられ、前記引き出しの右側端面と前記バネチャンバの右側内壁との間には第一バネが固定的に取り付けられ、前記引き出しの底部には第一引っ掛かりブロックが固定的に取り付けられ、前記バネチャンバの底壁には凹溝が設けられ、前記凹溝の底壁にはスイッチがヒンジによって取り付けられ、前記スイッチの底部端面と前記凹溝の底壁との間には第二バネが固定的に取り付けられ、前記スイッチの右側末端には第二引っ掛かりブロックが固定的に取り付けられている。
【０００７】
更の技術プラン、前記調節機構は前記第二歯車チャンバの下方に設けられたオルゴールも含み、前記第一プーリー軸の片側端面には第一プーリーが固定的に取り付けられ、左側の前記ベルトチャンバの左側内壁にはモーターが固定的に取り付けられ、前記モーターの出力端にはモーター軸が固定的に取り付けられ、前記モーター軸が右へ伸びて右側の前記ベルトチャンバの左側内壁を貫通しており、前記モーター軸には第二プーリーが固定的に取り付けられ、前記第二プーリーと前記第一プーリーとの間にはベルトが伝動できるように取り付けられている。
【発明の効果】
【０００８】
本発明はデスクライトの使用機能を増やし、引き出しを設置することによって文房具などを収納でき、字を書くことに便利であり、またオルゴールを設置し、照射角度の調節もより便利になり、さらにライトの光度を調節できるため、人の目を保護でき、普及価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の多方向照明デスクライトの全体構成略図
【図２】図２は図１のＡ―Ａ方向の断面構成略図
【図３】図３は図１のＢ方向の断面構成略図
【図４】図４は図１のＣの拡大構成略図
【発明を実施するための形態】
【００１１】
図１〜４を参照し、本発明の多方向照明デスクライトは、スタンド１０を含み、前記スタンド１０の中にはデスクライトを多方向で照明できるようにする回転機構９０が設けられ、前記回転機構９０は前記スタンド１０の中に設けられた第一歯車チャンバ１１を含み、前記第一歯車チャンバ１１の右側内壁と前記スタンド１０の右側端面との間には第一歯車軸１４が回転できるように取り付けられ、前記第一歯車軸１４の右側端面には調節器１５が固定的に取り付けられ、前記第一歯車軸１４の左側端面には第一歯車１３が固定的に取り付けられ、前記第一歯車チャンバ１１の頂壁と前記スタンド１０の上部端面との間には第二歯車軸２３が回転できるように取り付けられ、前記第二歯車軸２３の底部端面には第二歯車１２が固定的に取り付けられ、前記調節器１５を回転させることでデスクライトを回転連動させることができ、これにより多方向照明を実現し、前記スタンド１０の上部端面にはライトの縦方向の照射角度を調節できる調節機構６８が設けられ、前記調節機構６８は前記スタンド１０の頂部端面に回転できるように取り付けられた第一歯車箱２５を含み、前記第一歯車箱２５と前記第二歯車軸２３とが固定的に取り付けられ、前記第一歯車箱２５の頂部端面には第二歯車箱５０が固定的に取り付けられ、前記第一歯車箱２５の中には第二歯車チャンバ４３が設けられ、前記第二歯車箱５０の中には第三歯車チャンバ４５が設けられ、前記第三歯車チャンバ４５の底壁と前記第二歯車チャンバ４３の頂壁との間には第三歯車軸４４が回転できるように取り付けられ、前記第三歯車軸４４の底部端面には第三歯車４２が固定的に取り付けられ、前記第二歯車チャンバ４３の後側内壁と前記第一歯車箱２５の後側端面との間にはスライド溝３７が連通するように設けられ、前記スライド溝３７の中には制御器６６がスライドできるように取り付けられ、前記第二歯車チャンバ４３の左右両側にはベルトチャンバ２８が対称的に設けられ、前記ベルトチャンバ２８と前記第二歯車チャンバ４３との間には第一プーリー軸３０が回転できるように取り付けられ、前記第一プーリー軸３０にはスプラインスリーブ６２がスプラインによって取り付けられ、前記スプラインスリーブ６２と前記制御器６６とが固定的に連結され、前記スプラインスリーブ６２の片側端面には第四歯車３２が固定的に取り付けられ、前記制御器６６が左へスライドすることによって右側の前記第四歯車３２と前記第三歯車４２とを噛合させ、前記制御器６６が右へスライドすることによって左側の前記第四歯車３２と前記第三歯車４２とを噛合させ、前記第三歯車軸４４の上部端面には第五歯車４９が固定的に取り付けられ、前記第三歯車チャンバ４５の右側内壁と前記第二歯車箱５０の右側端面との間には第四歯車軸４７が回転できるように取り付けられ、前記第四歯車軸４７の左側端面には第六歯車４８が固定的に取り付けられ、前記第四歯車軸４７の右側端面にはリール４６が固定的に取り付けられ、前記第二歯車箱５０の上部端面には支持スタンド５２が固定的に取り付けられ、前記支持スタンド５２の右側端面にはライトスタンド５５がヒンジによって取り付けられ、前記リール４６には巻き糸３６が固定的に巻き付いており、前記巻き糸３６が前記支持スタンド５２を回って前記ライトスタンド５５と固定的に連結され、前記ライトスタンド５５の下方には電球５９が固定的に取り付けられ、前記ライトスタンド５５の中にはカラーフィルター溝５６が設けられ、前記カラーフィルター溝５６の底壁と前記ライトスタンド５５の底部端面とには回転輪５７が回転できるように取り付けられ、前記回転輪５７にはライトの光度を調節できるカラーフィルター５８が固定的に設けられている。
【００１２】
前記回転機構９０は前記スタンド１０の左側端面に設けられたバネチャンバ３４も含み、前記バネチャンバ３４の中には引き出し２１がスライドできるように取り付けられ、前記引き出し２１の右側端面と前記バネチャンバ３４の右側内壁との間には第一バネ２２が固定的に取り付けられ、前記引き出し２１の底部には第一引っ掛かりブロック２０が固定的に取り付けられ、前記バネチャンバ３４の底壁には凹溝３５が設けられ、前記凹溝３５の底壁にはスイッチ１６がヒンジによって取り付けられ、前記スイッチ１６の底部端面と前記凹溝３５の底壁との間には第二バネ１８が固定的に取り付けられ、前記スイッチ１６の右側末端には第二引っ掛かりブロック１９が固定的に取り付けられ、引き出し２１を開けるとき、スイッチ１６を上へ上げ、第一引っ掛かりブロック２０と第二引っ掛かりブロック１９とを離脱させ、引き出し２１が第一バネ２２の作用によりスタンド１０を飛び出させ、引き出し２１を閉めるとき、直接に引き出し２１を押し入れ、水平方向の照射角度を調節するとき、調節器１５を回転させ、調節器１５が第一歯車１３を回転連動させ、第一歯車１３が第二歯車１２を回転連動させ、第二歯車１２が第二歯車軸２３を回転連動させ、第二歯車軸２３はデスクライトを回転させることにより水平方向の照射角度の調節を実現できる。
【００１３】
前記調節機構６８は前記第二歯車チャンバ４３の下方に設けられたオルゴール４１も含み、前記第一プーリー軸３０の片側端面には第一プーリー２９が固定的に取り付けられ、左側の前記ベルトチャンバ２８の左側内壁にはモーター２４が固定的に取り付けられ、前記モーター２４の出力端にはモーター軸３３が固定的に取り付けられ、前記モーター軸３３が右へ伸びて右側の前記ベルトチャンバ２８の左側内壁を貫通しており、前記モーター軸３３には第二プーリー２６が固定的に取り付けられ、前記第二プーリー２６と前記第一プーリー２９との間にはベルト２７が伝動できるように取り付けられ、縦方向の照射角度を調節するとき、モーター２４を始動し、右へ制御器６６を回すとき、左側の第四歯車３２と第三歯車４２とが噛合し、第三歯車４２が第六歯車４８を回転連動させ、第六歯車４８がリール４６を時計回りに回転連動させ、リール４６が巻き糸３６を引き動かしてライトを上へ回転させ、左へ制御器６６を回すとき、右側の第四歯車３２と第三歯車４２とが噛合することでライトを下へ回転させることができ、ライトの光度を調節するとき、回転輪５７を回転させ、回転輪５７がカラーフィルター５８を左右に移動連動させ、カラーフィルター５８が左側へ移動するとき、カラーフィルター５８を透過した光線が減少し、ライトの光度を下げ、カラーフィルター５８が右側へ移動するとき、カラーフィルター５８を透過した光線が増加し、ライトの光度を上げ、これによりライトの光度を調節できる。
【００１４】
使用するとき：水平方向の照射角度を調節するとき、調節器１５を回転させ、調節器１５が第一歯車１３を回転連動させ、第一歯車１３が第二歯車１２を回転連動させ、第二歯車１２が第二歯車軸２３を回転連動させ、第二歯車軸２３はデスクライトを回転させることにより水平方向の照射角度の調節を実現でき、縦方向の照射角度を調節するとき、モーター２４を始動し、右へ制御器６６を回すとき、左側の第四歯車３２と第三歯車４２とが噛合し、リール４６が巻き糸３６を引き動かしてライトを上へ回転させ、左へ制御器６６を回すとき、右側の第四歯車３２と第三歯車４２とが噛合することでライトを下へ回転させることができ、ライトの光度を調節するとき、回転輪５７を回転させ、回転輪５７がカラーフィルター５８を左右に移動連動させることによってライトの光度への調節を実現でき、引き出し２１を開けるとき、スイッチ１６を上へ上げ、引き出し２１が第一バネ２２の作用によりスタンド１０を飛び出させ、引き出し２１を閉めるとき、直接に引き出し２１を押し入れる。
【００１５】
本発明の有益効果は：本発明はデスクライトの使用機能を増やし、引き出しを設置することによって文房具などを収納でき、字を書くことに便利であり、またオルゴールを設置し、照射角度の調節もより便利になり、さらにライトの光度を調節できるため、人の目を保護でき、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020184500.tif 000003
【図２】
2020184500.tif 000004
【図３】
2020184500.tif 000005
【図４】
2020184500.tif 000006
【手続補正書】
【提出日】令和2年1月14日(2020.1.14)
【手続補正１】
【補正対象書類名】特許請求の範囲
【補正対象項目名】請求項１
【補正方法】変更
【補正の内容】
【請求項１】
正面視で、スタンドを含み、前記スタンドの中にはデスクライトを多方向で照明できるようにする回転機構が設けられ、前記回転機構は前記スタンドの中に設けられた第一歯車チャンバを含み、前記第一歯車チャンバの右側内壁と前記スタンドの右側端面との間には第一歯車軸が回転できるように取り付けられ、前記第一歯車軸の右側端面には調節器が固定的に取り付けられ、前記第一歯車軸の左側端面には第一歯車が固定的に取り付けられ、前記第一歯車チャンバの頂壁と前記スタンドの上部端面との間には第二歯車軸が回転できるように取り付けられ、前記第二歯車軸の底部端面には第二歯車が固定的に取り付けられ、前記調節器を回転させることでデスクライトを回転連動させることができ、これにより多方向照明を実現し、前記スタンドの上部端面にはライトの縦方向の照射角度を調節できる調節機構が設けられ、前記調節機構は前記スタンドの頂部端面に回転できるように取り付けられた第一歯車箱を含み、前記第一歯車箱と前記第二歯車軸とが固定的に取り付けられ、前記第一歯車箱の頂部端面には第二歯車箱が固定的に取り付けられ、前記第一歯車箱の中には第二歯車チャンバが設けられ、前記第二歯車箱の中には第三歯車チャンバが設けられ、前記第三歯車チャンバの底壁と前記第二歯車チャンバの頂壁との間には第三歯車軸が回転できるように取り付けられ、前記第三歯車軸の底部端面には第三歯車が固定的に取り付けられ、前記第二歯車チャンバの後側内壁と前記第一歯車箱の後側端面との間にはスライド溝が連通するように設けられ、前記スライド溝の中には制御器がスライドできるように取り付けられ、前記第二歯車チャンバの左右両側にはベルトチャンバが対称的に設けられ、前記ベルトチャンバと前記第二歯車チャンバとの間には第一プーリー軸が回転できるように取り付けられ、前記第一プーリー軸にはスプラインスリーブがスプラインによって取り付けられ、前記スプラインスリーブと前記制御器とが固定的に連結され、前記スプラインスリーブの片側端面には第四歯車が固定的に取り付けられ、前記制御器が左へスライドすることによって右側の前記第四歯車と前記第三歯車とを噛合させ、前記制御器が右へスライドすることによって左側の前記第四歯車と前記第三歯車とを噛合させ、前記第三歯車軸の上部端面には第五歯車が固定的に取り付けられ、前記第三歯車チャンバの右側内壁と前記第二歯車箱の右側端面との間には第四歯車軸が回転できるように取り付けられ、前記第四歯車軸の左側端面には第六歯車が固定的に取り付けられ、前記第四歯車軸の右側端面にはリールが固定的に取り付けられ、前記第二歯車箱の上部端面には支持スタンドが固定的に取り付けられ、前記支持スタンドの左側端面にはライトスタンドがヒンジによって取り付けられ、前記リールには巻き糸が固定的に巻き付いており、前記巻き糸が前記支持スタンドを回って前記ライトスタンドと固定的に連結され、前記ライトスタンドの下方には電球が固定的に取り付けられ、前記ライトスタンドの中にはカラーフィルター溝が設けられ、前記カラーフィルター溝の底壁と前記ライトスタンドの底部端面とには回転輪が回転できるように取り付けられ、前記回転輪にはライトの光度を調節できるカラーフィルターが固定的に設けられていることを特徴とする多方向照明デスクライト。
【手続補正２】
【補正対象書類名】明細書
【補正対象項目名】全文
【補正方法】変更
【補正の内容】
【発明の詳細な説明】
【技術分野】
【０００１】
本発明は照明分野を取り上げて、具体的には多方向照明デスクライトである。
【背景技術】
【０００２】
今市販しているデスクライトは一般的に機能が単一で、構造も簡単であり、照明にしか使わなく、使用空間を浪費し、最大限にデスクライトの機能を発揮してなく、照射角度を調節することも不便であり、手で固定しなければならなく、またライトの輝度も調節できない。
【先行技術文献】
【特許文献】
【０００３】
【特許文献１】中国特許出願公開第１０８７５８３９８号明細書
【発明の概要】
【発明が解決しようとする課題】
【０００４】
本発明の目的は多方向照明デスクライトを提供し、それは上記の現在の技術中の問題を解決できる。
【課題を解決するための手段】
【０００５】
本発明の多方向照明デスクライトは、スタンドを含み、前記スタンドの中にはデスクライトを多方向で照明できるようにする回転機構が設けられ、前記回転機構は前記スタンドの中に設けられた第一歯車チャンバを含み、前記第一歯車チャンバの右側内壁と前記スタンドの右側端面との間には第一歯車軸が回転できるように取り付けられ、前記第一歯車軸の右側端面には調節器が固定的に取り付けられ、前記第一歯車軸の左側端面には第一歯車が固定的に取り付けられ、前記第一歯車チャンバの頂壁と前記スタンドの上部端面との間には第二歯車軸が回転できるように取り付けられ、前記第二歯車軸の底部端面には第二歯車が固定的に取り付けられ、前記調節器を回転させることでデスクライトを回転連動させることができ、これにより多方向照明を実現し、前記スタンドの上部端面にはライトの縦方向の照射角度を調節できる調節機構が設けられ、前記調節機構は前記スタンドの頂部端面に回転できるように取り付けられた第一歯車箱を含み、前記第一歯車箱と前記第二歯車軸とが固定的に取り付けられ、前記第一歯車箱の頂部端面には第二歯車箱が固定的に取り付けられ、前記第一歯車箱の中には第二歯車チャンバが設けられ、前記第二歯車箱の中には第三歯車チャンバが設けられ、前記第三歯車チャンバの底壁と前記第二歯車チャンバの頂壁との間には第三歯車軸が回転できるように取り付けられ、前記第三歯車軸の底部端面には第三歯車が固定的に取り付けられ、前記第二歯車チャンバの後側内壁と前記第一歯車箱の後側端面との間にはスライド溝が連通するように設けられ、前記スライド溝の中には制御器がスライドできるように取り付けられ、前記第二歯車チャンバの左右両側にはベルトチャンバが対称的に設けられ、前記ベルトチャンバと前記第二歯車チャンバとの間には第一プーリー軸が回転できるように取り付けられ、前記第一プーリー軸にはスプラインスリーブがスプラインによって取り付けられ、前記スプラインスリーブと前記制御器とが固定的に連結され、前記スプラインスリーブの片側端面には第四歯車が固定的に取り付けられ、前記制御器が左へスライドすることによって右側の前記第四歯車と前記第三歯車とを噛合させ、前記制御器が右へスライドすることによって左側の前記第四歯車と前記第三歯車とを噛合させ、前記第三歯車軸の上部端面には第五歯車が固定的に取り付けられ、前記第三歯車チャンバの右側内壁と前記第二歯車箱の右側端面との間には第四歯車軸が回転できるように取り付けられ、前記第四歯車軸の左側端面には第六歯車が固定的に取り付けられ、前記第四歯車軸の右側端面にはリールが固定的に取り付けられ、前記第二歯車箱の上部端面には支持スタンドが固定的に取り付けられ、前記支持スタンドの左側端面にはライトスタンドがヒンジによって取り付けられ、前記リールには巻き糸が固定的に巻き付いており、前記巻き糸が前記支持スタンドを回って前記ライトスタンドと固定的に連結され、前記ライトスタンドの下方には電球が固定的に取り付けられ、前記ライトスタンドの中にはカラーフィルター溝が設けられ、前記カラーフィルター溝の底壁と前記ライトスタンドの底部端面とには回転輪が回転できるように取り付けられ、前記回転輪にはライトの光度を調節できるカラーフィルターが固定的に設けられている。
【０００６】
更の技術プラン、前記回転機構は前記スタンドの左側端面に設けられたバネチャンバも含み、前記バネチャンバの中には引き出しがスライドできるように取り付けられ、前記引き出しの右側端面と前記バネチャンバの右側内壁との間には第一バネが固定的に取り付けられ、前記引き出しの底部には第一引っ掛かりブロックが固定的に取り付けられ、前記バネチャンバの底壁には凹溝が設けられ、前記凹溝の底壁にはスイッチがヒンジによって取り付けられ、前記スイッチの底部端面と前記凹溝の底壁との間には第二バネが固定的に取り付けられ、前記スイッチの右側末端には第二引っ掛かりブロックが固定的に取り付けられている。
【０００７】
更の技術プラン、前記調節機構は前記第二歯車チャンバの下方に設けられたオルゴールも含み、前記第一プーリー軸の片側端面には第一プーリーが固定的に取り付けられ、左側の前記ベルトチャンバの左側内壁にはモーターが固定的に取り付けられ、前記モーターの出力端にはモーター軸が固定的に取り付けられ、前記モーター軸が右へ伸びて右側の前記ベルトチャンバの左側内壁を貫通しており、前記モーター軸には第二プーリーが固定的に取り付けられ、前記第二プーリーと前記第一プーリーとの間にはベルトが伝動できるように取り付けられている。
【発明の効果】
【０００８】
本発明はデスクライトの使用機能を増やし、引き出しを設置することによって文房具などを収納でき、字を書くことに便利であり、またオルゴールを設置し、照射角度の調節もより便利になり、さらにライトの光度を調節できるため、人の目を保護でき、普及価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の多方向照明デスクライトの全体構成略図
【図２】図２は図１のＡ―Ａ方向の断面構成略図
【図３】図３は図１のＢ方向の断面構成略図
【図４】図４は図１のＣの拡大構成略図
【発明を実施するための形態】
【００１１】
図１〜４を参照し、本発明の多方向照明デスクライトは、スタンド１０を含み、前記スタンド１０の中にはデスクライトを多方向で照明できるようにする回転機構９０が設けられ、前記回転機構９０は前記スタンド１０の中に設けられた第一歯車チャンバ１１を含み、前記第一歯車チャンバ１１の右側内壁と前記スタンド１０の右側端面との間には第一歯車軸１４が回転できるように取り付けられ、前記第一歯車軸１４の右側端面には調節器１５が固定的に取り付けられ、前記第一歯車軸１４の左側端面には第一歯車１３が固定的に取り付けられ、前記第一歯車チャンバ１１の頂壁と前記スタンド１０の上部端面との間には第二歯車軸２３が回転できるように取り付けられ、前記第二歯車軸２３の底部端面には第二歯車１２が固定的に取り付けられ、前記調節器１５を回転させることでデスクライトを回転連動させることができ、これにより多方向照明を実現し、前記スタンド１０の上部端面にはライトの縦方向の照射角度を調節できる調節機構６８が設けられ、前記調節機構６８は前記スタンド１０の頂部端面に回転できるように取り付けられた第一歯車箱２５を含み、前記第一歯車箱２５と前記第二歯車軸２３とが固定的に取り付けられ、前記第一歯車箱２５の頂部端面には第二歯車箱５０が固定的に取り付けられ、前記第一歯車箱２５の中には第二歯車チャンバ４３が設けられ、前記第二歯車箱５０の中には第三歯車チャンバ４５が設けられ、前記第三歯車チャンバ４５の底壁と前記第二歯車チャンバ４３の頂壁との間には第三歯車軸４４が回転できるように取り付けられ、前記第三歯車軸４４の底部端面には第三歯車４２が固定的に取り付けられ、前記第二歯車チャンバ４３の後側内壁と前記第一歯車箱２５の後側端面との間にはスライド溝３７が連通するように設けられ、前記スライド溝３７の中には制御器６６がスライドできるように取り付けられ、前記第二歯車チャンバ４３の左右両側にはベルトチャンバ２８が対称的に設けられ、前記ベルトチャンバ２８と前記第二歯車チャンバ４３との間には第一プーリー軸３０が回転できるように取り付けられ、前記第一プーリー軸３０にはスプラインスリーブ６２がスプラインによって取り付けられ、前記スプラインスリーブ６２と前記制御器６６とが固定的に連結され、前記スプラインスリーブ６２の片側端面には第四歯車３２が固定的に取り付けられ、前記制御器６６が左へスライドすることによって右側の前記第四歯車３２と前記第三歯車４２とを噛合させ、前記制御器６６が右へスライドすることによって左側の前記第四歯車３２と前記第三歯車４２とを噛合させ、前記第三歯車軸４４の上部端面には第五歯車４９が固定的に取り付けられ、前記第三歯車チャンバ４５の右側内壁と前記第二歯車箱５０の右側端面との間には第四歯車軸４７が回転できるように取り付けられ、前記第四歯車軸４７の左側端面には第六歯車４８が固定的に取り付けられ、前記第四歯車軸４７の右側端面にはリール４６が固定的に取り付けられ、前記第二歯車箱５０の上部端面には支持スタンド５２が固定的に取り付けられ、前記支持スタンド５２の左側端面にはライトスタンド５５がヒンジによって取り付けられ、前記リール４６には巻き糸３６が固定的に巻き付いており、前記巻き糸３６が前記支持スタンド５２を回って前記ライトスタンド５５と固定的に連結され、前記ライトスタンド５５の下方には電球５９が固定的に取り付けられ、前記ライトスタンド５５の中にはカラーフィルター溝５６が設けられ、前記カラーフィルター溝５６の底壁と前記ライトスタンド５５の底部端面とには回転輪５７が回転できるように取り付けられ、前記回転輪５７にはライトの光度を調節できるカラーフィルター５８が固定的に設けられている。
【００１２】
前記回転機構９０は前記スタンド１０の左側端面に設けられたバネチャンバ３４も含み、前記バネチャンバ３４の中には引き出し２１がスライドできるように取り付けられ、前記引き出し２１の右側端面と前記バネチャンバ３４の右側内壁との間には第一バネ２２が固定的に取り付けられ、前記引き出し２１の底部には第一引っ掛かりブロック２０が固定的に取り付けられ、前記バネチャンバ３４の底壁には凹溝３５が設けられ、前記凹溝３５の底壁にはスイッチ１６がヒンジによって取り付けられ、前記スイッチ１６の底部端面と前記凹溝３５の底壁との間には第二バネ１８が固定的に取り付けられ、前記スイッチ１６の右側末端には第二引っ掛かりブロック１９が固定的に取り付けられ、引き出し２１を開けるとき、スイッチ１６を上へ上げ、第一引っ掛かりブロック２０と第二引っ掛かりブロック１９とを離脱させ、引き出し２１が第一バネ２２の作用によりスタンド１０を飛び出させ、引き出し２１を閉めるとき、直接に引き出し２１を押し入れ、水平方向の照射角度を調節するとき、調節器１５を回転させ、調節器１５が第一歯車１３を回転連動させ、第一歯車１３が第二歯車１２を回転連動させ、第二歯車１２が第二歯車軸２３を回転連動させ、第二歯車軸２３はデスクライトを回転させることにより水平方向の照射角度の調節を実現できる。
【００１３】
前記調節機構６８は前記第二歯車チャンバ４３の下方に設けられたオルゴール４１も含み、前記第一プーリー軸３０の片側端面には第一プーリー２９が固定的に取り付けられ、左側の前記ベルトチャンバ２８の左側内壁にはモーター２４が固定的に取り付けられ、前記モーター２４の出力端にはモーター軸３３が固定的に取り付けられ、前記モーター軸３３が右へ伸びて右側の前記ベルトチャンバ２８の左側内壁を貫通しており、前記モーター軸３３には第二プーリー２６が固定的に取り付けられ、前記第二プーリー２６と前記第一プーリー２９との間にはベルト２７が伝動できるように取り付けられ、縦方向の照射角度を調節するとき、モーター２４を始動し、右へ制御器６６を回すとき、左側の第四歯車３２と第三歯車４２とが噛合し、第三歯車４２が第六歯車４８を回転連動させ、第六歯車４８がリール４６を時計回りに回転連動させ、リール４６が巻き糸３６を引き動かしてライトを上へ回転させ、左へ制御器６６を回すとき、右側の第四歯車３２と第三歯車４２とが噛合することでライトを下へ回転させることができ、ライトの光度を調節するとき、回転輪５７を回転させ、回転輪５７がカラーフィルター５８を左右に移動連動させ、カラーフィルター５８が左側へ移動するとき、カラーフィルター５８を透過した光線が減少し、ライトの光度を下げ、カラーフィルター５８が右側へ移動するとき、カラーフィルター５８を透過した光線が増加し、ライトの光度を上げ、これによりライトの光度を調節できる。
【００１４】
使用するとき：水平方向の照射角度を調節するとき、調節器１５を回転させ、調節器１５が第一歯車１３を回転連動させ、第一歯車１３が第二歯車１２を回転連動させ、第二歯車１２が第二歯車軸２３を回転連動させ、第二歯車軸２３はデスクライトを回転させることにより水平方向の照射角度の調節を実現でき、縦方向の照射角度を調節するとき、モーター２４を始動し、右へ制御器６６を回すとき、左側の第四歯車３２と第三歯車４２とが噛合し、リール４６が巻き糸３６を引き動かしてライトを上へ回転させ、左へ制御器６６を回すとき、右側の第四歯車３２と第三歯車４２とが噛合することでライトを下へ回転させることができ、ライトの光度を調節するとき、回転輪５７を回転させ、回転輪５７がカラーフィルター５８を左右に移動連動させることによってライトの光度への調節を実現でき、引き出し２１を開けるとき、スイッチ１６を上へ上げ、引き出し２１が第一バネ２２の作用によりスタンド１０を飛び出させ、引き出し２１を閉めるとき、直接に引き出し２１を押し入れる。
【００１５】
本発明の有益効果は：本発明はデスクライトの使用機能を増やし、引き出しを設置することによって文房具などを収納でき、字を書くことに便利であり、またオルゴールを設置し、照射角度の調節もより便利になり、さらにライトの光度を調節できるため、人の目を保護でき、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。